(57)【特許請求の範囲】
【請求項１】
支持面を有する航空機用備品と、
前記航空機用備品の前記支持面に取り付けられるモニタであって、前記モニタが縦長の向きにある収納位置と、前記モニタが横長の向きにある展開位置との間を、前記支持面に対して相対的に動くことが可能なモニタと、
前記モニタの背部に取り付けられる複数の制御用ガイドウェイであって、前記モニタが前記航空機用備品への取り付けを支持し、前記収納位置から前記展開位置への前記モニタの動きを制御する複数の制御用ガイドウェイ、
を備え、
前記収納位置にあるときは、前記モニタの収納時垂直方向高さは前記航空機用備品の水平方向幅よりも長く、前記モニタの収納時水平方向幅は前記航空機用備品の前記水平方向幅よりも短く、前記モニタが前記展開位置にあるときは、前記モニタの展開時水平方向幅は、前記航空機用備品の前記水平方向幅よりも長い、
展開可能な機内エンターテイメント用モニタ。
【請求項２】
前記モニタが前記収納位置にあるときに、前記モニタが前記航空機用備品からはみ出さない請求項１に記載の展開可能な機内エンターテイメント用モニタ。
【請求項３】
前記モニタが前記展開位置にあるときに、前記モニタが前記航空機用備品からはみ出す請求項２に記載の展開可能な機内エンターテイメント用モニタ。
【請求項４】
前記モニタが前記収納位置と前記展開位置との間を動く際に、前記モニタが、回転し、水平方向に移動し、垂直方向に移動する請求項１〜３のいずれか一項に記載の展開可能な機内エンターテイメント用モニタ。
【請求項５】
前記航空機用備品は、シートバック、隔壁、および、パーティションのうちの１つである請求項１〜４のいずれか一項に記載の展開可能な機内エンターテイメント用モニタ。
【請求項６】
支持面を有する航空機用備品と、
前記航空機用備品の前記支持面に取り付けられるモニタであって、前記モニタが縦長の向きにある収納位置と、前記モニタが横長の向きにある展開位置との間を、前記支持面に対して相対的に動くことが可能なモニタと、
前記モニタの背部に取り付けられる複数の制御用ガイドウェイであって、前記モニタが前記航空機用備品への取り付けを支持し、前記収納位置から前記展開位置への前記モニタの動きを制御する複数の制御用ガイドウェイ、
を備え、
前記複数の制御用ガイドウェイが、前記航空機用備品に対する前記モニタの回転および移動の動きを制御するための３つのガイドウェイを備え、
前記３つのガイドウェイのそれぞれが弓形の経路を有する、
展開可能な機内エンターテイメント用モニタ。
【請求項７】
前記収納位置にあるときは、前記モニタの収納時垂直方向高さは前記航空機用備品の水平方向幅よりも長く、前記モニタの収納時水平方向幅は前記航空機用備品の前記水平方向幅よりも短く、前記モニタが前記展開位置にあるときは、前記モニタの展開時水平方向幅は、前記航空機用備品の前記水平方向幅よりも長い、請求項６に記載の展開可能な機内エンターテイメント用モニタ。
【請求項８】
前記モニタが前記収納位置にあるときに、前記モニタが前記航空機用備品からはみ出さない請求項６または７に記載の展開可能な機内エンターテイメント用モニタ。
【請求項９】
前記モニタが前記展開位置にあるときに、前記モニタが前記航空機用備品からはみ出す請求項８に記載の展開可能な機内エンターテイメント用モニタ。
【請求項１０】
前記モニタが前記収納位置と前記展開位置との間を動く際に、前記モニタが、回転し、水平方向に移動し、垂直方向に移動する請求項６〜９のいずれか一項に記載の展開可能な機内エンターテイメント用モニタ。
【請求項１１】
前記航空機用備品は、シートバック、隔壁、および、パーティションのうちの１つである請求項６〜１０のいずれか一項に記載の展開可能な機内エンターテイメント用モニタ。
【発明の詳細な説明】
【技術分野】
【０００１】
本発明は、乗客用航空機の分野に関し、特に、客室内に装備される機内エンターテイメント用モニタに関する。本発明は、展開可能な機内エンターテイメント用モニタであって、当該モニタを手動または自動で縦長の向きから横長の向きに好みに応じて展開することを可能にする支持機構に装着されるモニタに関する。
【背景技術】
【０００２】
航空機の客室が、機内エンターテイメント用モニタを有することがある。そのようなモニタは、通常、フライトに関する情報およびエンターテイメントの両方を乗客に提供する。フライトに関する情報には、安全に関する情報、フライトの進行状況に関する情報、目的地に関する情報、および気象情報等が含まれる場合がある。エンターテイメントには、テレビ番組、映画、音楽、商業広告、ビデオゲーム、インターネットへのアクセス等が含まれる場合がある。
【０００３】
機内エンターテイメント用モニタは、客室内で視聴するために、通常、客室内のさまざまな物体に固定される。例えば、機内エンターテイメント用モニタは、シートバック、隔壁、または、パーティションに固定される場合がある。シートバックに取り付けられた場合、機内エンターテイメント用モニタは通常、横長の向きに固定され、後ろに座っている乗客の使用のために後方に向けられている。プライバシー保護のために、プレミアムクラスの座席には、座席、ベッド、および／または座席エリアを分割するためのパーティションを備えている場合がある。機内エンターテイメント用モニタがそのようなパーティションに配置される場合には、通常、横長の向きに固定され、パーティションのうち、後方に向いている部分に、その座席の乗客の方に向けて取り付けられる。同様に、機内エンターテイメント用モニタは、通常、客室内のさまざまな箇所に設けられる隔壁に配置される。
【０００４】
乗客用航空機の分野においては、機内エンターテイメント用モニタは、視覚的エンターテイメントのため、および、乗客に情報を伝えるために、できるだけ大きく、実用的であることが望ましい。モニタのサイズがより大きくなれば、視覚に障害のある乗客に、より大きな映像を提供することもできる。とりわけプレミアムクラスの座席には、より大きな画面のサイズが望ましい。しかしながら、乗客用航空機内には、限られた空間しかない。また、航空機に乗降する際および乱気流に巻き込まれた際の乗客の安全のため、機内エンターテイメント用モニタをはじめとする固定備品類は、それらが取り付けられている物体や備品からはみ出ていないのが望ましい。備品類がはみ出ていると、座席やその他の乗客用エリアへの出入りに際して邪魔になる。それゆえ、画面のサイズは、画面がその物体からはみ出さないように、そして貴重な空間を浪費しないように、その固定される物体による制約を受ける。
【０００５】
さらに、表示される特定のエンターテイメントや情報によっては、機内エンターテイメント用モニタが縦長の向きに固定されるのが望ましいということもある。同様に、機内エンターテイメント用モニタが横長の向きに固定されるのが望ましいという事もある。さらには、縦長または横長の向きのいずれかで表示ができるように選択できるようになっていることが望ましい場合もある。
【発明の概要】
【発明が解決しようとする課題】
【０００６】
したがって、当該技術においては、飛行中のさまざまな用途によって、縦長の向きと横長の向きの両方に展開可能な、大きな画面を持つ、機内エンターテイメント用モニタが必要とされる。さらに、当該技術においては、はみ出すことがなく、または、はみ出したとしても乗客の安全のための妨げにならないような機内エンターテイメント用モニタが必要とされる。また、当該技術においては、上記のような目標を達成しつつ、機内で、シートバック、隔壁、および座席パーティションのような、さまざまな異なる物体や備品類に取り付けることが可能な機内エンターテイメント用モニタが必要とされる。
【課題を解決するための手段】
【０００７】
したがって、本発明の一つの目的は、展開可能な、機内エンターテイメント用モニタであって、手動で、遠隔操作で、または自動で、当該モニタを収納位置から展開位置に好みに応じて展開可能とする支持機構に搭載されたモニタを提供することにある。
【０００８】
また、本発明の別の目的は、展開可能な、機内エンターテイメント用モニタであって、パーティション、シートバック、または隔壁のような航空機用備品であって、展開された、視聴時用の向きにされた際の画面の長さよりも、その幅が短い航空機用備品に、そこから突き出したりはみ出したりせずに搭載可能なモニタを提供することにある。
【０００９】
また、本発明のさらに別の目的は、展開可能な、機内エンターテイメント用モニタであって、通常の収納位置においては、当該モニタは、乗客に機内情報を表示するために縦長の縦横比となるように縦に配置されるが、横長のワイドスクリーンの向きとなる機内フルエンターテイメントモードへと展開することが可能なモニタを提供することにある。
【００１０】
本発明の上記およびその他の目的および利点を達成するために、後方に向いた面を有する航空機用備品と、前記航空機用備品の後方に向いた前記面に取り付けられたモニタを有する展開可能な機内エンターテイメント用モニタが提供される。前記モニタが情報を表示するための縦長の向きにある収納位置から、前記モニタがエンターテイメントを表示するための横長の向きにある展開位置へと、前記モニタは動作する。制御用ガイドウェイが、前記モニタの背部に取り付けられている。前記制御用ガイドウェイは、前記モニタが航空機用備品に取り付けられるのを支持する円形の経路であって、前記モニタが収納位置から展開位置に動作するのを容易にする円形の経路を有している。
【００１１】
本発明の他の実施形態によれば、前記モニタが収納位置にあるときは、前記モニタの収納時垂直方向高さが、前記航空機用備品の水平方向幅よりも長く、前記モニタの収納時水平方向幅が、前記航空機用備品の水平方向幅より短くても良い。さらに、前記モニタが展開位置にあるときは、前記モニタの展開時水平方向幅が、前記航空機用備品の水平方向幅より長くてもよい。
【００１２】
本発明の他の実施形態によれば、前記モニタが収納位置にあるときは、前記モニタが前記航空機用備品から突き出ないようになっていてもよい。
【００１３】
本発明の他の実施形態によれば、前記モニタが展開位置にあるときは、前記モニタが前記航空機用備品から突き出るようになっていてもよい。
【００１４】
本発明の他の実施形態によれば、前記航空機用備品は、パーティション、シートバック、または隔壁であってよい。
【００１５】
本発明の他の実施形態によれば、乗客の手動操作によって、前記モニタは収納位置から展開位置に、および、展開位置から収納位置に動作される。
【００１６】
本発明の他の実施形態によれば、自動操作によって、前記モニタは収納位置から展開位置に、および展開位置から収納位置に動作される。
【００１７】
本発明の他の実施形態によれば、航空機のクルーの一員による遠隔自動操作によって、前記モニタは収納位置から展開位置に、および、展開位置から収納位置に動作される。
【００１８】
本発明の他の実施形態によれば、合計で２つの制御用ガイドウェイがあってよい。
【００１９】
本発明の他の実施形態によれば、合計で３つの制御用ガイドウェイがあってよい。
【図面の簡単な説明】
【００２０】
本発明は、以下の発明の詳細な説明を、添付の図面を参照しながら読むことで、最もよく理解される。
【００２１】
【図１】本発明の１つの実施形態にかかる、パーティションに取り付けられた機内エンターテイメント用モニタを含むファーストクラス用タイプの航空機乗客用座席エリアの斜視図である。
【００２２】
【図２】展開時における水平方向に横長の向きになっている機内エンターテイメント用モニタの正面図である。
【００２３】
【図３】横長の向きのワイドスクリーンになっている展開位置から、縦長の向きの縦の収納位置へと移行する途中の位置にある機内エンターテイメント用モニタの正面図である。
【図４】横長の向きのワイドスクリーンになっている展開位置から、縦長の向きの縦の収納位置へと移行する途中の位置にある機内エンターテイメント用モニタの正面図である。
【００２４】
【図５】縦長の向きの縦の収納位置にある、機内エンターテイメント用モニタの正面図である。
【発明を実施するための形態】
【００２５】
具体的に図面を参照すると、機内エンターテイメント用モニタが一般的に符号１０によって示されている。図１を参照すると、機内エンターテイメント用モニタ１０は、縦長の向きの縦の収納位置２０から横長の向きの横の展開位置２２へと移動するように構成されている。機内エンターテイメント用モニタ１０は、座席パーティション３０等の航空機用備品の後方に面した部分に取り付けられる。航空機の乗客用座席３２に座っている航空機の乗客は、機内エンターテイメント用モニタ１０が収納位置２０にあるときには、モニタ１０に表示される情報を眺めていてもよい。航空機の乗客用座席３２に座っている航空機の乗客は、機内エンターテイメント用モニタ１０が展開位置２２にあるときには、モニタ１０に表示されるエンターテイメントを眺めていてもよい。
【００２６】
座席パーティション３０は、高さ３４と幅３６を有している。モニタ１０が収納位置２０にあるときには、モニタ１０は収納時高さ２４と収納時幅２６を有している。収納位置２０にあるときの、モニタ１０の収納時幅２６は、パーティション３０の幅３６よりも狭い。モニタ１０の収納時幅２６は、パーティション３０からはみ出ない。
【００２７】
一旦モニタ１０が、図５に示すような収納位置２０から図２に示すような展開位置２２に移動すると、モニタ１０は、展開時高さ４４と展開時幅４６とを持つ。モニタ１０の展開時高さ４４は、モニタ１０の収納時幅２６と長さが等しい。モニタ１０の展開時幅４６は、モニタ１０の収納時高さ２４と等しい。モニタ１０の展開時幅４６は、パーティション３０の幅３６より大きい。モニタ１０の展開時幅４６は、符号５０はのようにパーティション３０からはみ出す。
【００２８】
図２〜５を参照すると、モニタ１０は、制御用ガイドウェイ１２という形の支持機構を備えている。ガイドウェイ１２は、駆動ギアピニオン（図示しない）によって駆動されてよく、当該駆動ギアピニオンは、モニタ１０が、自動的にまたは手動によって、収納位置２０と展開位置２２の間で展開されるのを可能にする。この展開可能な能力により、モニタ１０が、収納位置２０ではみ出し部分５０または突起を作ることなく、その幅３６が展開位置２２にあるときのモニタ１０の幅４６よりも小さいパーティション３０に搭載されることが可能になる。モニタ１０は通常、図５に示されるような収納位置２０にあるが、その際には、モニタ１０は、縦長の縦横比を持つように縦に配置される。モニタ１０がこの収納位置２０にあるときには、モニタ１０を、航空機用座席３２に座っている乗客に対して、一連の機内情報を表示するのに使うことができる。しかしながら、機内でのエンターテイメントの機能を完全に発揮することが求められるときには、図１に示されるような座席３２に座っている乗客は、モニタ１０を、図５に示されるようなその収納位置２０から、図２に示されるような、横長の向きの／ワイドスクリーンの展開位置２２へと展開する。この展開を実現するには、多くの方法が考えられる。
【００２９】
１つの好ましい実施形態においては、ガイドウェイ１２が、モニタ１０の背部に搭載された円弧状の歯竿を有しており、歯竿が、モニタ１０をその収納位置２０と展開位置２２との間に駆動するために、モーターと繋がったピニオンギアとかみ合っていてもよい。曲線状のガイドウェイ１２は、モニタ１０を支持し、図２〜５に示されるような展開と格納のための移動をガイドする。駆動力は向きを変えることが可能であり、モニタ１０を展開するにも格納するにも使うことができる。
【００３０】
図２〜５を参照すると、モニタ１０が、その展開時の横長の向きから、その収納時の縦長の向きに動く様子が、連続的なステップで示されている。図２および５を比較すると、モニタが単に、ある１点を中心に回動しているというわけではなく、回転をしながら並進移動をしているということがわかる。それを裏付けるのは、モニタが横長の向きにある図２においては、モニタ１０の上端が、パーティション３０の上端と一致し、モニタ１０が縦長の向きにある図５においては、モニタの側部が、パーティション３０の上端と一致するという事実である。このように、モニタ１０は、その収納位置と展開位置との間を動くにあたり、回転と移動の両方を行っている。どの程度、垂直方向と水平方向それぞれに移動するかは、スロット状のガイドウェイ１２の形状によって制御される。当該ガイドスロットの形状、位置、および長さは、移動時の動きをカスタマイズするために調整することができる。ガイドウェイ１２の数およびモニタ支持部の数もまた、モニタのサイズ、重さ、および形状によってカスタマイズすることができる。
【００３１】
他の実施形態においては、歯竿とピニオンの組み合わせではなく、第３のガイドウェイ上のピンとベアリングに作用する電動のアクチュエータを用いてもよい。さらに他の好ましい実施形態においては、ばねとダンパーの組み合わせを用いて、ひとたび掛け金が外されるとモニタ１０の展開が実現されるようにしてもよい。次いでモニタ１０は、手動でその収納位置２０に復帰させられて、掛け金がかけられる。
【００３２】
以上、本発明にかかる、展開可能な、機内エンターテイメント用モニタ１０が、具体的な実施形態および実施例を参照しつつ説明されてきた。本発明のさまざまな詳細部分は、本発明の範囲を逸脱することなく、変更することができるであろう。さらに、上記の、本発明の好ましい実施形態および本発明を実施するための最良の方法の説明は、例示のためのみに提供されたものであり、制限をするために提供されるものではない。本発明は、特許請求の範囲によって、定義される。
以下の項目は、国際出願時の特許請求の範囲に記載の要素である。
（項目１）
支持面を有する備品と、
前記備品の前記支持面に取り付けられるモニタであって、前記モニタが縦長の向きにある収納位置と、前記モニタが横長の向きにある展開位置との間を、前記支持面に対して相対的に動くことが可能なモニタと、
前記モニタの背部に取り付けられる複数の制御用ガイドウェイであって、前記モニタが前記備品への取り付けを支持し、前記収納位置から前記展開位置への前記モニタの動きを制御する複数の制御用ガイドウェイ、
を備える展開可能な機内エンターテイメント用モニタ。
（項目２）
前記収納位置にあるときは、前記モニタの収納時垂直方向高さは前記備品の水平方向幅よりも長く、前記モニタの収納時水平方向幅は前記備品の前記水平方向幅よりも短く、前記モニタが前記展開位置にあるときは、前記モニタの展開時水平方向幅は、前記備品の前記水平方向幅よりも長い、項目１に記載の展開可能な機内エンターテイメント用モニタ。
（項目３）
前記モニタが前記収納位置にあるときに、前記モニタが前記備品からはみ出さない項目１に記載の展開可能な機内エンターテイメント用モニタ。
（項目４）
前記モニタが前記展開位置にあるときに、前記モニタが航空機用備品からはみ出す項目３に記載の展開可能な機内エンターテイメント用モニタ。
（項目５）
前記モニタが前記収納位置と前記展開位置との間を動く際に、前記モニタが、回転し、水平方向に移動し、垂直方向に移動する項目１に記載の展開可能な機内エンターテイメント用モニタ。
（項目６）
前記航空機用備品は、シートバック、隔壁、および、パーティションのうちの１つである項目１に記載の展開可能な機内エンターテイメント用モニタ。
（項目７）
前記備品に対する前記モニタの回転および移動の動きを制御するための３つのガイドウェイであって、前記ガイドウェイのそれぞれが弓形の経路を有するガイドウェイをさらに備える項目１に記載の展開可能な機内エンターテイメント用モニタ。
（項目８）
所定の高さと幅を持つ後方に面した表面を有する航空機用備品と、
前記航空機用備品の前記後方に面した表面に取り付けられたモニタであって、前記モニタが縦長の向きにあり、かつ、前記航空機用備品の前記幅の範囲内にある収納位置と、前記モニタが横長の向きにあり、かつ、前記航空機用備品の前記幅の範囲からはみ出す展開位置との間を、回転動作と移動動作とを組み合わせて動くモニタと、
前記モニタの背部に取り付けられた複数の制御用ガイドウェイであって、前記制御用ガイドウェイのそれぞれは、前記モニタの前記回転と移動を組み合わせた動作をガイドする円弧形の経路を有する複数の制御用ガイドウェイ、
を備える展開可能な機内エンターテイメント用モニタ。
（項目９）
前記モニタが前記収納位置と前記展開位置との間を動く際には、前記モニタは回転し、水平方向に移動し、垂直方向に移動する項目８に記載の展開可能な機内エンターテイメント用モニタ。
（項目１０）
前記備品は、シートバック、パーティション、および、隔壁のうちの１つである項目８に記載の、展開可能な機内エンターテイメント用モニタ。
（項目１１）
前記モニタは、前記収納位置から前記展開位置へ、および、前記展開位置から前記収納位置へ、手動で動く項目８に記載の展開可能な機内エンターテイメント用モニタ。
（項目１２）
前記モニタが、前記収納位置から前記展開位置へ、および、前記展開位置から前記収納位置へ、自動的に動く項目８に記載の展開可能な機内エンターテイメント用モニタ。
（項目１３）
前記ガイドウェイの数が３つである項目８に記載の展開可能な機内エンターテイメント用モニタ。
（項目１４）
前記ガイドウェイの数が２つである項目８に記載の展開可能な機内エンターテイメント用モニタ。
【図１】
0006040304.tif 000002
【図２】
0006040304.tif 000003
【図３】
0006040304.tif 000004
【図４】
0006040304.tif 000005
【図５】
0006040304.tif 000006